(57)【要約】      （修正有）【課題】蓄圧部の設計を自由にしかつ駆動部のコンパクト化を容易にしたガス・油圧力変換器を提供。【解決手段】ガス圧力を油圧に変換して、パイプライン等に設けられた弁を作動する操作機に前記油圧を供給するためのガス・油圧力変換器が、両端部をカバー181,185によって閉じられた中空のシリンダー12、カバーにシリンダーの中心軸と同心上に支持されたロッド16、シリンダーの内部においてロッドに摺動可能に支持されたピストンにして、シリンダーの一方側においてガスを受容、排出しかつ他方側に圧油を受容、供給するように設けられたピストン14、及びカバーから外に貫通するよう延長して設けられたロッドによって作動する油ポンプを起動するためのリミットスイッチ19を含むものである。ロッドはカバーに対して軸線方向に移動可能に支持されていて、ロッドの移動がピストンのガス圧による移動とともに所定の長さだけ行われるように構成。【選択図】図１
2005226804.tif 000002
【特許請求の範囲】
【請求項１】
ガス圧力を油圧に変換して、パイプライン等に設けられた弁を作動する操作機に前記油圧を供給するためのガス・油圧力変換器であって、
両端部をカバーによって閉じられた中空のシリンダー、前記カバーに前記シリンダーの中心軸と同心上に支持されたロッド、前記シリンダーの内部において前記ロッドに摺動可能に支持されたピストンにして、前記シリンダーの一方側においてガスを受容、排出しかつ他方側に圧油を受容、供給するように設けられたピストン、および前記カバーから外に貫通するよう延長して設けられたロッドによって作動する油ポンプを起動するためのリミットスイッチ、を含むガス・油圧力変換器において、
前記ロッドは、前記カバーに対して軸線方向に移動可能に支持されていて、該ロッドが前記ピストンのガス側のガス圧により、前記ピストンの前記油側のカバーへの移動とともに所定の長さだけ移動するように構成されていることを特徴とするガス・油圧力変換器。
【請求項２】
前記ロッドが前記カバーのガス側に摺動可能に支持されかつ前記ピストンとの摺動部よりも大きな断面を有する大径ロッド部を有して、該大径ロッド部の中心までガス圧力を受けるように支持され、さらに前記圧油側のカバーに摺動可能に支持されかつ前記ピストンの摺動部よりも大径の大径ロッド部を有し、該圧油側の大径ロッド部における前記カバーに対する摺動部をシールし、かつ前記大径ロッド部の圧油側とは反対側に大気圧または油側より低圧の圧力を受けるようにしたことを特徴とする請求項１に記載されたガス・油圧力変換器。
【請求項３】
前記ピストンの移動とともに、前記ロッドが所定の長さだけ移動したときに、前記ガス側の大径ロッド部の一部が所定の長さだけガス側カバーより内方向に突出するように構成したことを特徴とする。請求項１または２のいずれか１項に記載されたガス・油圧力変換器。
【請求項４】
前記ピストンの移動とともに所定の長さだけ移動した前記ロッドは、前記ピストンの油側から圧油により前記ガス側カバーに向かって移動し、所定の長さだけ移動した前記ロッドの前記ガス側の大径ロッド部に到達した後、前記ピストンと前記ロッドが一緒に移動するように構成したことを特徴とする。請求項１から３までのいずれか１項に記載されたガス・油圧力変換器。
【請求項５】
前記油側カバーにおける前記大径ロッド部の圧油側とは反対側に大気圧または圧油よりも低圧になる大気室を設け、前記ピストンのガス側カバーへの到達後およびその後の待機中に、油圧が前記大気室の圧力との圧力差だけガス圧より高くなるように構成したことを特徴とする。請求項１から４までのいずれか１項に記載されたガス・油圧力変換器。
【請求項６】
前記油側の大径ロッド部は、前記リミットスイッチの作動中に、前記油側カバーに対して前記ピストンが接触しないように、必要な長さだけ、前記所定の長さに加えて前記油側カバーから内方向に突出するように構成したことを特徴とする。請求項１から５までのいずれか１項に記載されたガス・油圧力変換器。
【請求項７】
前記シリンダーに前記ガス側カバーの内面に近接して油溜りと該油溜りに連通する溜まった油を排出するためのドレン孔を設け、前記ガス側カバーのピストン側面には前記シリンダー内面に近接して前記ピストン接触時に機能するシールリングが設けられていることを特徴とする請求項１から６までのいずれかの１項に記載されたガス・油圧力変換器。
【請求項８】
前記ガス側カバーには、ガス圧により右側に摺動可能に設けられた大径ロッド部に、該大径ロッド部からガス側カバーを貫通して外側に延長するロッドを設け、該延長ロッドが油ポンプ等を起動するためのリミットスィッチを作動することができることを特徴とする請求項１から７までのいずれか１項に記載されたガス・油圧力変換器。
【発明の詳細な説明】
【技術分野】
【０００１】
本発明は、バルブ等の操作のためのアクチュエータとして使用されるガス・油圧式駆動装置に用いられるガス・油圧力変換器に関する。
【背景技術】
【０００２】
従来、ガス・油圧式駆動装置は、作動のための動力源として、パイプラインのボールバルブの作動のためにパイプラインの高圧ガスを使用して油圧に変換するための変換器が使用され、この変換器は、ピストンが用いられない場合、垂直に設けられた縦型のものが使用されている。その場合、変換器内部では、ガスと油を離隔するためにゴム膜が使用されている。
【０００３】
また、従来の問題点を考慮して蓄圧部であるガスタンク内の窒素ガスの圧力を動力源として、油圧に変換するためのガス・油圧力変換器にピストンが用いられたものとして、特許文献１に記載されているような、シリンダー内のブースターに摺動するよう設けられたピストンによってガス圧を油圧に変換するものが使用されている。
【特許文献１】特開平８−５４０８３号公報
【発明の開示】
【発明が解決しようとする課題】
【０００４】
上記のようなピストンを用いないガス・油圧力変換器は、駆動装置に用いた場合、縦型設置をせざるをえないことになり、駆動装置のコンパクト化が不可能であった。また、ガスと油を仕切るために、ゴム膜を使用すると、ガスと油が同圧となり、長期間使用しているとガスが油に混入して、駆動装置の作動不良を引き起こす恐れがあった。
【０００５】
また、ガス、油圧力変換器にピストンを使用した増圧式の場合、ピストンロッドの先端に小ロッドが設けられて、シリンダーの外に突出したインジケータまたは保護カバーを設けて、その内部にピストンのストロークと同じストロークの長さだけ外側へ突出するために、全長が長くなるという問題があった。
【０００６】
本発明は、上記問題に鑑みてなされたものであり、蓄圧部の設計を自由にしかつ駆動部のコンパクト化を容易にしたガス・油圧力変換器を提供することを目的とするものである。
【課題を解決するための手段】
【０００７】
上記目的を達成するために、本発明によるガス・油圧力変換器は、ガス圧力を油圧に変換して、パイプライン等に設けられた弁を作動する操作機に油圧を供給するためのガス・油圧力変換器であって、
両端部をカバーによって閉じられた中空のシリンダー、カバーにシリンダーの中心軸と同心上に支持されたロッド、シリンダーの内部においてロッドに摺動可能に支持されたピストンにして、シリンダーの一方側においてガスを受容、排出しかつ他方側に圧油を受容、供給するように設けられたピストン、およびカバーから外に貫通するよう延長して設けられたロッドによって作動する油ポンプを起動するためのリミットスイッチ、を含むガス・油圧力変換器において、
ロッドは、カバーに対して軸線方向に移動可能に支持されていて、このロッドがピストンのガス側のガス圧により、油側のカバーへの移動とともに所定の長さだけ移動するように構成されていることを特徴とする。
【０００８】
上記ガス・油圧力変換器は、ロッドがガス側カバーに摺動可能に支持されかつピストンとの摺動部よりも大きな断面を有する大径ロッド部を有して、この大径ロッド部の中心までガス圧力を受けるように支持され、さらに油側カバーに摺動可能に支持されかつピストンの摺動部よりも大径の大径ロッド部を有し、この油側の大径ロッド部における前記カバーに対する摺動部をシールし、かつ大径ロッド部の油側とは反対側に大気圧または油側より低圧の圧力を受けるようにしたことを特徴とする。
【０００９】
上記ガス・油圧式駆動装置において、ピストンの移動とともに、所定の長さだけ移動したときに、ガス側の大径ロッド部の一部が所定の長さだけガス側カバーより内方向に突出するように構成したことを特徴とする。
【００１０】
上記ガス・油圧力変換器において、ピストンの移動とともに所定の長さだけ移動したロッドが、ピストンの油側から圧油によりガス側カバーへ移動し、所定の長さだけ移動したロッドのガス側大径ロッド部に到達したときより、ピストンとロッドが一緒に移動するように構成したことを特徴とする。
【００１１】
上記ガス・油圧力変換器において、油側大径ロッド部の圧油側とは反対側に大気圧または圧油よりも低圧になる大気室を設け、ピストンのガス側カバーへの作動後およびその後の待機中の油圧が大気室の圧力との圧力差だけガス圧より高くなるように構成したことを特徴とする。
【００１２】
上記ガス・油圧力変換器において、油側大径ロッド部は、リミットスイッチの作動中は、油側カバーに対してピントンが接触しないように、必要な長さだけ、上記所定の長さに加えて油側カバーから内方向に突出するように構成したことを特徴とする。
【００１３】
また、上記ガス・油圧力変換器において、シリンダーにガス側カバーの内面に近接して油溜りとこの油溜りに連通する溜まった油を排出するためのドレン孔を設け、ガス側カバーのピストン側面にはシリンダー内面に近接してピストン接触時に機能するシールリングが設けられていることを特徴とする。
【００１４】
さらに、上記ガス・油圧力変換器において、ガス側カバーに、ガス圧により右側に摺動可能に設けられた大径ロッド部に、この大径ロッド部からガス側カバーを貫通して外側に延長するロッドを設け、この延長ロッドによって油ポンプ等を起動するためのリミットスィッチを作動することを特徴とする。
【発明の効果】
【００１５】
本発明によるガス・油圧力力変換器においては、両端部をカバーによって閉じられた中空のシリンダー、両端部のカバーにシリンダーの中心軸と同心上に支持されたロッド、シリンダーの内部においてロッドに摺動可能に支持されたピストンにして、シリンダーの一方側においてガスを受容、排出しかつ他方側に圧油を受容、供給するように設けられたピストン、およびカバーから外に貫通するよう延長して設けられたロッドによって作動する油ポンプを起動するためのリミットスイッチ、を含むガス・油圧力変換器において、ロッドは、カバーに対して軸線方向に移動可能に支持されていて、このロッドの移動がピストンのガス圧により油側カバーへの移動とともに所定の長さだけ行われるようにしたので、ガス・油圧力変換器から蓄圧部を分離して設けることができ、蓄圧部の長さ、直径および設置方向などの設計が自由となり、駆動装置をコンパクトにすることができる。そして、ガス・油圧力変換器として、必要な油量のストロークに対して、油ポンプの起動、停止の信号をロッドの最小限の移動によってリミットスイッチを作動させることができる。即ち、ピストンが油側へ移動した後すぐに、油ポンプを起動することができるようにしたので、ロッドの移動を最小限にして油ポンプを作動させることができ、ガス・油圧力変換器をコンパクトにすることかできるという効果を奏する。
【００１６】
上記ガス・油圧力変換器は、ロッドがカバーのガス側に摺動可能に支持されかつピストンの摺動部よりも大きな断面を有する大径ロッド部を有して、この大径ロッド部の中心までガス圧力を受けるように支持され、さらに前記カバーの圧油側に摺動可能に支持されかつピストンの摺動部よりも大径の大径ロッド部を有し、この圧油側の大径ロッド部における前記カバーに対する摺動部をシールし、かつ大径ロッド部の圧油側とは反対側に大気圧を受けるようにしたので、大径ロッド部によってロッドの支持をカバーに対して安定して行うことができるとともに、ピストンに対してガス圧を十分に作用させることができるとともに、ガス圧を油圧へと効率よく変換することができる。
【００１７】
また、圧油側の大径ロッド部は、リミットスィッチの作動中に圧油側のカバーに対して前記ピストンを接触させないように必要な長さだけ圧油側カバーから内方向に突出しているので、操作機の操作後油がピストンに戻され始めると、カバーに近接していたピストンの端面に直ちに油が供給されてピストンをガス圧と同圧になるよう作動させることができる。
【００１８】
また、シリンダーにガス側カバーの内面に近接して油溜りとこの油溜りに連通する溜まった油を排出するためのドレン孔を設け、ガス側カバーのピストン側面にはシリンダー内面に近接してピストン接触時に機能するシールリングが設けられているので、長期間の作動により、万一ピストンの部分から油が漏れた場合、ピストンがガス側カバーに密着した状態時に、漏れた油が油溜めに溜められるので、Ｏリングによってガスの漏れを防ぎながら、ドレン孔から取り出すことができ、蓄圧部からのガスの流出を防ぐことができる。
【００１９】
また、ガス側カバーに、ガス圧により右側に摺動可能に設けられた大径ロッド部に、この大径ロッド部からガス側カバーを貫通して外側に延長するロッドを設け、この延長ロッドによって油ポンプ等を起動するためのリミットスィッチを作動することができるので、操作機への油の供給のための油ポンプの起動だけでなく、その他の用途の油ポンプを起動させることができ、また、その他の操作機器のためのリミットスイッチを作動することができる。
【００２０】
本発明の他の目的、特徴及び利点は添付図面に関する以下の本発明の実施例の記載から明らかになるであろう。
【発明を実施するための最良の形態】
【００２１】
以下、本発明の一実施の形態を図面を参照して説明する。
本発明の実施の形態によるガス・油圧力変換器１０は、図４および図５に示すように、パイプライン９０に設けられるボールバルブ８０の開閉作動を行うためのガス・油圧式駆動装置に使用されている。このガス・油圧式駆動装置は、ボールバルブ８０を作動するスコッチヨーク機構を操作するためのシリンダー、ピストン、ピストンロッド等からなる操作機２０へ、後で詳述する蓄圧器５０内の窒素ガスのようなガスによって油圧を生じさせるためのガス・油圧力変換器１０からの圧油が油圧回路を切換えるサブプレート３０に設けた二つの三方切換弁３２、３４をコントロールボックス４０からの信号により切り替えることにより供給される。さらに、電動油ポンプ６０および手動ポンプ７０が設けられ、逆止弁７２、電磁弁７４を介してガス・油圧力変換器１０の油圧回路に接続され、操作機２０に付設された油タンク２６から油を供給する。操作機２０には、各作動の終了を検知するリミットスィッチ２２、２４が設けられ、コントロールボックス４０への信号を送り、三方切換弁３２、３４の切換操作を行うことができるようになっている。
【００２２】
このガス・油圧式駆動装置は、図５に示すように、操作機２０に、ガス・油圧力変換器１０、蓄圧器５０、電動油ポンプ６０、手動ポンプ７０、リミットスイッチ２２、２４、三方切換弁３２、３４が一体にされるとともに、最適の配置にして設けられている。なお、この図５には油圧回路用のパイプは省略されている。
【００２３】
上記のガス・油圧式駆動装置に設けられたガス・油圧力変換器１０は、図１から図３に示すように、適宜の内径Ｄを有する中空のシリンダ１２、このシリンダ１２の両端部を閉じるガス側カバー１８１、油側カバー１８５、これらのカバー１８１，１８５に対してほぼシリンダ１２の内周面と同心にロッド１６を支持し、このロッド１６上を両側のガス圧と油圧との差圧で摺動するようにピストン１４が設けられ、シリンダ１２のロッド１６との摺動部とシリンダ内周面の摺動部にはそれぞれ複数箇所に外周部シール１４４、内周部シール１４５が取り付けられて、ピストン１４によって分けられるシリンダ１２の両側室に存在するガスと油が混合しないようにされている。また、シリンダ１２に対するガス側カバー１８１と油側カバー１８５との取付け箇所にはそれぞれ複数箇所にシール１４６，１４７が取り付けられてガスまたは油の漏れを防止している。さらに、ガス側カバー１８１には、蓄圧器５０とシリンダ１２のガス室との間でガスを供給、流出させるためのガス流通孔１８４が周面に開放して設けられ、また、油側カバー１８５には、電動ポンプ６０あるいは手動ポンプ７０および操作機２０への油の流出入させるための油流通孔１８７が同様に周面に開放して設けられている。ガス・油圧力変換器１０には、圧力計１０１、給排気弁１０２等を備えるとともに、蓄圧器５０には開閉弁１０３を介して接続されている。
【００２４】
上記のロッド１２は、ピストン１４の摺動部の直径ｄ、油側カバー１８５に支持された大径ロッド部１６２の直径ｄ１、この大径ロッド部１６１から延長して油側カバー１８５を貫通して外部に突出するリミットスィッチ作動用ロッド部１６３の直径ｄ３、ガス側カバー１８１に支持された大径ロッド部１６１の直径ｄ２がｄ３＜ｄ＜ｄ１≦ｄ２の関係を有するように形成されている。そして、ガス側の大径ロッド部１６１は、ガス側カバー１８１の支持孔１８３に摺動可能に嵌合されていて、ガス圧がその中心部まで作用するようにシール等を設けずに支持されている。一方、油側の大径ロッド部１６２は、油側カバー１８５にガス側の大径ロッド部１６１と同様に摺動可能に支持孔１８９に支持されているが、支持孔１８９の内方に大気室１８６が形成されるように、カバー１８５の外周面に開放する連通孔１８８によって油タンク２６に接続されるとともに、大径ロッド部１６２の外周は油側カバー１８５に対して２箇所にシールが設けられ、大気室１８６への油の流入を阻止している。
【００２５】
また、ロッド１２自体は、図１に示されるように、ピストン１４がガス側カバー１８１の端面からストロークＬだけ移動するが、この移動直後、油側カバー１８５の端面から長さＬ＋ｈだけ突出している油側大径ロッド部１６２は、ロッドの両側のガス側の大径ロッド部摺動室１８３と油側の大気室１８６の圧力差により、長さＨだけ大気室１８６側へ移動し、即ち、ロッド１２が移動しているので、ピストン１４は最大Ｌ＋Ｈの長さだけ移動する。それにより、図２に示すように、リミットスィッチ作動用ロッド部１６３が外側方向に移動されて、電動油ポンプ６０を作動するためにリミットスィッチ１９に設けられたローラ１９１に当接してリミットスィッチ１９を操作することができるようにされている。
【００２６】
また、図２に示すように、ピストン１４が油側の大径ロッド部１６２に油側カバー１８５から長さｈだけ突出した状態にあるので、油が電動油ポンプ６０によってあるいは操作機２０から戻された場合、ピストン１４に油圧が十分に作用することができる。そして、ガス側の大径ロッド部１６１は、図２に示すように、ロッド１６がピストン１４によって押され状態では、ガス側カバー１８１の内面から長さＨだけ突き出した状態にあるので、ピストン１４が油圧により電動ポンプ６０の作動によりガス側に押されて、ガス圧と同圧になるまで油圧が上り、ピストン１４がガス側カバー１８１に向かって移動されて大径ロッド部１６１に接触すると、油圧がさらに上昇し、引き続きピストン１４をガス側カバー１８１に向かって移動させるので、ロッド１６全体が図１の状態まで移動される。それによって、リミットスィッチ１９は、作動用ロッド部１６３がローラ１９１から離脱してリミットスィッチ１９を解除して、電動油ポンプ６０の作動を停止させることができる。
【００２７】
また、図３に示すように、リミットスィッチ１９’をガス側に設けた場合には、ロッド１６の延長部を大径ロッド部１６１にさらに連結、摺動可能にリミットスィツチ作動用延長ロッド部１６４として設けられてもよい。この延長ロッド部１６４は、端部に大径ロッド部１６１に形成した嵌合孔１６６に勘合する小径嵌合部とそれと一体の大径ロッド部１６１の外径と同径の大径部を有して、ガス側カバー１８１の支持孔１８３内を摺動することができるようになっている。そし延長ロッド部１６４に対してのみ、ガスの流出を防止するためのシール１６４’が設けられている。延長ロッド部１６４の摺動ストロークは長さＨであり、リミットスイッチ１９’をオンにするようローラ１９１’を移動させる。さらに、延長ロッド部１６４側の大径ロッド部１６１、小径嵌合部を含む大径部１６５にはガス圧が両者の中心部まで作用するように、シール等を設けることなく、嵌合されている。
【００２８】
上記のような構成を有するガス・油圧力変換器１０は、以下のように作用する。
パイプライン１０に設けられたボールバルブ８０を開閉するために操作機２０を作動させる必要がある場合、まず、開閉弁１０３を開いて窒素ガス等のガスを蓄圧器５０からガス流通路１８４を通して、図１に示す状態にあるピストン１４に対して供給されると、ピストン１４はロッド１６に沿って移動され、ピストン１４の反対側の油がシリンダ１２室からガス圧力により押し出される。このように、ガス圧力によって生じられる圧油は、油側カバー１８５の油流通路１８７を通して操作機２０に向けて供給される。操作機２０への油圧回路の途中に設けられたサブプレート３０内の２つの三方切換弁３２，３４がコントロールボックス４０の操作により、図４に示された状態から一方の三方切換弁３２を切換操作すると、この一方の三方切換弁３２を介して操作機２０のピストンの操作側に圧油を供給し、ピストンの反対側に蓄積した油を他方の三方切換弁３４を介して油タンク２６に排出させる。そして、蓄圧器５０からのガスの継続した供給により油が操作機２０の操作を終えるまで供給されるが、ガス・油圧力変換器１０では、ピストン１４がロッド１６の油側カバー１８５の内面から最大長さＨ＋ｈだけ突出した大径ロッド部１６２に当接するまで移動して圧油の供給を行う。
【００２９】
ピストン１４が移動するとともに、ロッド１６も移動するが、ピストン１４は、最大Ｌ＋Ｈの長さだけ移動可能であるが、ロッド１６は長さＨのみである。このロッド１６の移動は、油側カバー１８５に大気室１８６があるために、ガス側カバー１８１に設けた大径ロッド部摺動室１８３の作用しているガス圧によるものである。このロッド１６が図２に示す位置に達することで、リミットスィッチ作動用ロッド部１６３がリミットスィッチ１９のローラ１９６に接触してリミットスィッチ１９を作動させて、電動油ポンプ６０を起動させる。この状態で、操作機２０では、リミットスィッチ２４，２５によってその操作の終了を検出すると、作動している一方の三方切換弁３２を解除して、操作機２０への圧油の供給が停止され、操作機２０はその状態を維持してフリーになる。さらに、この状態では、電動油ポンプ６０が作動しているので、油タンク２６あるいは操作機２０からの油を油圧回路の１８７フィルタ６２を通してガス・油圧力変換器１０の油流通路１８７に戻すように供給される。
【００３０】
このように電動ポンプ６０による油供給が行われると、図２に示すように、ピストン１４は油側カバー１８５に対して長さｈだけ間隔を置くように大径ロッド部１６２に接した状態になっている場合でも、油の圧力が上がるにつれて、ピストン１４をガス側へと移動させ、ビン―ストン１４の反対側にあるガスがガス側カバー１８１のガス流通路１８４を通して蓄圧器５０へとガス圧を上げながら戻すようにピストン１４が作動する。しかし、ロッド１６に関して、ガス側大径ロッド部１６１には、常にガス圧が作用しているが、油側大径ロッド部１６２には、油側とは反対側の大気室１８６を設けているので、ロッド１６は常に図中右側へ移動しようとしている。ピストン１４のある位置では、ピストン１４の両側のガス圧と油圧は同圧であり、ガス側大径ロッド部１６１に達するまでは、ピストン１４の両側のガス圧と油圧が同圧であり、この大径ロッド部１６１が、図２に示すように、ガス側カバー１８１の内面から長さＨだけ突出した状態にあるので、この大径ロッド部１８１にピストン１４が達すると油圧が上昇して、ロッド１６全体をガス側に移動させるように油圧が上昇する。そして、図１に示される状態にピストン１４が達すると、リミットスィッチ作動用ロッド部１６３がリミットスィッチ１９のローラ１９１から離脱して、リミットスィッチ１９を切って、電動油ポンプ６０を非作動にして、蓄圧器５０へガスが戻された状態で開閉弁１０３を閉じて、次ぎの使用に備える。
【００３１】
また、種種の原因で電動油ポンプ６０が作動できないときには、手動油ポンプ７０を使用することにより、操作機２０への油の供給を行うことができる。その際、コントロールボックス４０からの三方切換弁３２，３４の電気的な操作ができなければ、手動により行うこともできるようにしてもよい。
【００３２】
以上のように、本発明によるガス・油圧力変換器１０は、シリンダ１２の両端部をカバー１８１，１８５で塞ぎ、その外側にはリミットスィッチ１９を作動するためのリミットスィッチ作動用ロッド部１６３が突出するものの、その移動ストロークは最小限度ですますことができるので全体サイズを抑えることができ、図５に示すように、操作機２０に併設しても、嵩張ることがなく、ガス・油圧式駆動装置をコンパクトにすることができる。
【００３３】
また、このガス・油圧力変換器１０には、図３に示すように、ガス側カバー１８１において、さらにリミットスィッチ１９’を作動することができるように、リミットスィッチ１９’の操作用ローラ１９’に当接する延長ロッド部１６４がロッド１６と同軸心を有するように、設けられてもよい。その際、延長ロッド部１６４は、ガス側カバー１８１の支持孔１８２内を移動する大径ロッド部１６１と同外径を有する大径部１６５を有すると共に、大径部と一体の小径部を設け、この小径部が大径ロッド部１６１の中心部に設けた摺動孔１６６に移動可能に設けられていて、延長ロッド部１６４の部分のみにガス側カバー１８１にシール１６７が設けられて、ガスの漏れを防止している。したがって、大径ロッド部１６１の内部の摺動孔１６６の内面にもガス圧が作用して、大径ロッド部１６１の中心部までガス圧が作用することができる。図２の状態のロッド１６の全体を移動させる際には、図３の状態で延長ロッド部１６４を外方向に移動させて、リミットスィッチ１９’を作動させることができる。このリミットスイッチ１９’は、他の用途に使用されてもよいが、リミットスィッチ１９とは逆の作用をさせることにより、リミットスィッチ１９の代わりをさせるようにしてもよい。なお、延長ロッド部１６４は、ガス圧によって大径ロッド部１６１を右側に移動させることができれば、この直径を小さくして、大径ロッド部１６１と一体に形成してもよい。
【００３４】
さらに、ガス側カバー１８１の内面におけるシリンダ１２の内周面に近接してシールのためのＯリング１４３を設ければ、ガス圧が最も高くなるピストン１４のガス側カバー１８１にピストン１４が近接した状態では、油溜め１４１に溜まった油ドレン孔１４２から取り出すことがきる。その際、ピストン１４が油圧によってガス側カバー１８１に押し付けられていて、ガスの漏れをＯリング１４３によって防止することができる。
【００３５】
上記記載は実施例についてなされたが、本発明はそれに限らず、本発明の精神と添付のクレームの範囲内で種々の変更および修正をすることができることは当業者に明らかである。
【図面の簡単な説明】
【００３６】
【図１】本発明の一実施の形態によるガス・油圧力変換器の断面図である。
【図２】図１のガス・油圧力変換器のガス圧力による作動状態を示す断面図である。
【図３】本発明の他の実施の形態によるガス・油圧力変換器の部分断面図である。
【図４】本発明の一実施の形態によるガス・油圧力変換器を使用したガス・油圧式駆動装置の概略説明図である。
【図５】同４のガス・油圧式駆動装置の外観を示す平面図である。
【符号の説明】
【００３７】
１０  ガス・油圧力変換器
１２  シリンダー
１４  ピストン
１６  ロッド
１９  リミットスィッチ
１９’リミットスィッチ
２０  操作機
２２  リミットスイッチ
２４  リミットスイッチ
２６  油タンク
３０  サブプレート
３２  三方切換弁
３４  三方切換弁
４０  コントロールボックス
５０  蓄圧器
６０  電動油ポンプ
６１  エアー抜き
６２  フィルタ
７０  手動ポンプ
７２  逆止弁
７４  安全弁
１４１  油溜り
１４２  ドレンプラグ
１４３  Ｏリング
１６１  ガス側大径ロッド部
１６２  油側大径ロッド部
１６３  リミットチィッチ作動用ロッド部
１６４  延長ロッド部
１６５  延長ロッド基部
１６６  摺動部
１８１  ガス側カバー
１８３  大径ロッド部摺動室
１８４  ガス連通路
１８５  油側カバー
１８６  大気室
１８７  圧油路
１８８  油逃路
１９１  ローラ
１９１’ローラ
【図１】
2005226804.tif 000003
【図２】
2005226804.tif 000004
【図３】
2005226804.tif 000005
【図４】
2005226804.tif 000006
【図５】
2005226804.tif 000007